(57)【要約】
【課題】  予約作業を実行できるコンピュータ装置の提供。
【解決手段】  コンピュータ装置内に予約設定装置を設け、予約設定装置内に時間データを生成可能な電子タイマ、予約時間と予約作業項目を保存できるメモリ、時間データと予約時間を対比できる検出コントローラを設け、コンピュータ装置が切断状態で予約時間が到達した時、検出コントローラが起動命令をエミュレートして電源開閉器を制御して主電源供給装置を起動し、並びに起動プロセスを完成し、コンピュータ装置が予約作業項目実行完成後に、検出コントローラが切断命令をエミュレートして電源開閉器を制御して主電源供給装置を切断し、切断プロセスを完成し次の予約時間に待機するようにし、大幅に節電して環境保護コンピュータの要求に符合するようにし、コンピュータ装置が長期待機下でシステムフリーズの問題を発生しやすい問題を防止する。
【選択図】        図４
0003101424.tif 000002
【実用新案登録請求の範囲】
【請求項１】
電源開閉器と予約設定装置を具え、
該電源開閉器は、主電源供給装置が主電源をコンピュータ装置の少なくとも一つの構成装置に提供するか否かを制御するのに用いられ、
該予約設定装置は、電気的に電源開閉器に接続され、それは少なくとも、時間データを生成する第２電子タイマ、予約作業データを保存できる第２メモリ、電気的に第２電子タイマ及び第２メモリに接続された検出コントローラ、及び第２電源を第２電子タイマ、第２メモリ及び検出コントローラに提供する第２電源供給装置を具え、そのうち検出コントローラは時間データ及び予約作業データを検出及び対比し、並びに対比結果により電源開閉器の起動を制御することを特徴とする、予約作業を実行できるコンピュータ装置。
【請求項２】
請求項１記載の予約作業を実行できるコンピュータ装置において、検出コントローラが命令信号入力装置に電気的に接続されたことを特徴とする、予約作業を実行できるコンピュータ装置。
【請求項３】
請求項２記載の予約作業を実行できるコンピュータ装置において、命令信号入力装置が、マウス、キーボード、ジョイスティック、電源スイッチボタン、外界入力装置及びその組合せのいずれかとされたことを特徴とする、予約作業を実行できるコンピュータ装置。
【請求項４】
請求項１記載の予約作業を実行できるコンピュータ装置において、構成装置が、ＣＰＵ、ハードディスク、メインメモリ、主電子タイマ、外界信号処理器及びその組合せのいずれかとされたことを特徴とする、予約作業を実行できるコンピュータ装置。
【請求項５】
請求項４記載の予約作業を実行できるコンピュータ装置において、第２メモリがメインメモリと同一とされ、第２電子タイマが主電子タイマと同一とされ、且つ第２電源供給装置が主電源供給装置と同一とされたことを特徴とする、予約作業を実行できるコンピュータ装置。
【請求項６】
請求項４記載の予約作業を実行できるコンピュータ装置において、外界信号処理器が画像信号受信器、モデム及びその組合せのいずれかとされたことを特徴とする、予約作業を実行できるコンピュータ装置。
【請求項７】
請求項１記載の予約作業を実行できるコンピュータ装置において、第１回路により電源開閉器と電気的に接続された命令信号入力装置を具えたことを特徴とする、予約作業を実行できるコンピュータ装置。
【請求項８】
請求項１記載の予約作業を実行できるコンピュータ装置において、予約作業データが、少なくとも一つの予約時間、及び該予約時間に対応する予約作業項目を具え、該予約作業項目がテレビ番組予約録画、ウィルス走査、起動アラーム、データ伝送及びその組合せのいずれかとされたことを特徴とする、予約作業を実行できるコンピュータ装置。
【請求項９】
請求項１記載の予約作業を実行できるコンピュータ装置において、第２メモリが開閉データを保存し、予約作業データに基づき電源開閉器の起動を制御することを特徴とする、予約作業を実行できるコンピュータ装置。
【請求項１０】
テレビ番組を予約録画できるコンピュータ装置において、
電源開閉器と予約設定装置を具え、
該電源開閉器は、主電源供給装置が主電源をコンピュータ装置の少なくとも一つのＣＰＵ、ハードディスク、メインメモリ及び画像信号受信器に提供するか否かを制御し、
該予約設定装置は、電気的に電源開閉器に接続され、それは少なくとも、時間データを生成する第２電子タイマ、少なくとも一つの録画予約時間と録画予約テレビ番組チャンネルを保存できる第２メモリ、電気的に第２電子タイマ及び第２メモリに接続された検出コントローラ、及び第２電源を第２電子タイマ、第２メモリ及び検出コントローラに提供する第２電源供給装置を具え、そのうち検出コントローラは時間データ及び録画予約データを検出及び対比し、並びに対比結果により電源開閉器を制御して画像信号受信器の受信する録画予約テレビ番組チャンネルデータを保存することを特徴とする、テレビ番組を予約録画できるコンピュータ装置。
【請求項１１】
請求項１０記載のテレビ番組を予約録画できるコンピュータ装置において、第２メモリがメインメモリと同一とされ、第２電源供給装置が主電源供給装置と同一とされ、且つ第２メモリが開閉データを保存し、録画予約時間に基づき電源開閉器の起動を制御することを特徴とする、テレビ番組を予約録画できるコンピュータ装置。
【考案の詳細な説明】
【技術分野】
【０００１】
本考案は一種のコンピュータ装置に係り、特に、予約作業を実行できるコンピュータ装置であり、大幅に節電して環境保護コンピュータの要求に符合するようにし、コンピュータ装置が長期待機下でシステムフリーズの問題を発生しやすい問題を防止するコンピュータ装置に関する。
【背景技術】
【０００２】
科学技術の進歩により、コンピュータ装置を利用した事務処理は現代人にとって不可欠の普通の技術となっており、コンピュータ装置に最大の機能を発揮させるため、作業項目を予約でき且つ順調にそれを実行できるコンピュータ装置が長くコンピュータユーザーが追求する最高の目標となっている。
【０００３】
一般の予約作業を実行できるコンピュータ装置及びその実行フローは図１、２に示されるとおりであり、コンピュータ装置１０内の電源開閉器１１は命令信号入力装置（電源スイッチボタン）２１より入力された起動命令を受けて主電源供給装置１３を制御して主電源エネルギーをコンピュータ装置１０内のＣＰＵ１５、メインメモリ１８、ハードディスク１７、主電子タイマ１９、外界信号処理器１６に提供し、こうして一般の正常な起動プロセスを完成する。
【０００４】
作業項目を予約したい時、例えばテレビ番組録画予約を行ないたい時や、ウイルススキャン、アラーム音、データ伝送を予約したい時、ユーザーはまず予約時間及び対応する予約作業項目を含む予約作業データを設定する。これはステップ２０１のとおりである。続いて、コンピュータ装置１０がコンピュータがドーズ（Ｄｏｚｅ）、スタンバイモード（Ｓｔａｎｄ  Ｂｙ）或いはハイバネーション／サスペンドモード（Ｈｉｂｅｒｎａｔｉｏｎ／Ｓｕｓｐｅｎｄ；最も節電のモード）に進入したかを、ステップ２０２のように検出する。もしノーであれば、ステップ２１２を実行し、続いてコンピュータのその他の作業項目を実行する。反対に、もしコンピュータ装置１０がサスペンドモードに進入しようとしているならば、システムデータをハードディスク１７或いはメインメモリ１８中に保存し、且つＣＰＵ１５の運転速度を下げ、この時、主電子タイマ１９、ＣＰＵ１５及びＣＭＯＳのみが電源を使用し、これにより大幅にコンピュータ装置１０の電源消耗を減らして環境保護コンピュータの要求に符合することができ、これはステップ２０３に示されるとおりである。コンピュータ装置１０はサスペンドモード期間にもマウス、ジョイスティック、電源ボタン、或いは外界入力装置を含む命令信号入力装置２１が起動したか否かを続けて検出する。これはステップ２０４のとおりである。命令信号入力装置２１が起動したと判断されたならば、コンピュータ装置１０は即刻システムデータを起動し、並びにもとの作業モードに回復し、これはズテップ２１４のとおりであり、この時、コンピュータのその他の作業を実行できる（ステップ２１２）。
【０００５】
コンピュータ装置１０は続けて先の予約時間が到達したか否かを監視する（ステップ２０５）。もし予約時間が到達したなら、システムを起動し、並びにもとの作業モードに回復し、これはステップ２０６のとおりである。並びに予約された予約作業項目を実行し、例えば外界信号処理器１６により外界信号入出力装置２６の入力したテレビ番組チャンネルデータを受け取る（ステップ２０７）。予約作業項目完成後或いはすでに予約時間終点に到達した時、コンピュータ装置１０は作業システムの設定に基づき直接切断するか否かを決定するか、或いはサスペンドモードに戻る（ステップ２０８）。
【０００６】
周知のコンピュータ装置１０は予約作業実行の機能を達成できるが、以下のような欠点を有している。
１．コンピュータ装置がすでに最節電のサスペンドモードに進入しているが、ただし真正の切断状態ではないとき、電源浪費の問題だけでなく、環境保護コンピュータの要求を達成できず、その他の部品の使用寿命も短縮した。
２．コンピュータ装置の予約作業実行プロセスは各オペレーションシステムに組み合わせる必要があり、サスペンドモードに進入したり何度もサスペンドモードに進入したり離脱したりした後、オペレーションシステムの不相容或いはフレーズして再起動不能となる状況が発生しやすい。
３．コンピュータ装置が一度予約作業項目を実行して切断を選択した後、次の予約時間が完成しても次の予約作業項目を実行できず、このため一度に複数の異なる予約を設定するのに不適用である。
【考案の開示】
【考案が解決しようとする課題】
【０００７】
ゆえに、実行したい作業項目の予約に便利なだけでなく、真正の環境保護コンピュータの要求を圧政して大幅に節電が行なえるコンピュータ装置の提供が求められている。
【０００８】
本考案の主要な目的は、予約作業を実行でき、周知のコンピュータ装置の欠点を改善するコンピュータ装置を提供することにある。
【０００９】
本考案の次の目的は、コンピュータ装置が真正に切断され且つ予約時間が到達した後に、予約設定装置を利用して電源開閉器を制御して起動させ、並びに正常起動モードでコンピュータを起動し、且つ予約作業項目実行完成後に、正常に切断して次の予約時間の到達に待機し、これにより大幅に無駄な電源の消耗を節約して真の環境保護コンピュータの要求を達成することにある。
【００１０】
本考案の別の目的は、予約作業を実行できるコンピュータ装置を提供し、予約時間到達前にいずれも切断状態にあり、ＣＰＵが真には運転せず、これにより有効にＣＰＵの使用寿命を延長できるようにすることにある。
【００１１】
本考案のまた別の目的は、一種の予約作業を実行できるコンピュータ装置を提供し、予約設定装置が切断及び起動命令をエミュレートすることにより、コンピュータ装置に真に切断或いは起動プロセスを実行させられるようにし、これによりコンピュータオペレーションシステムの不相容或いはコンピュータフリーズの状態が発生しないようにすることにある。
【００１２】
本考案のさらに別の目的は、一種の予約作業を実行できるコンピュータ装置を提供し、予約設定装置を利用してコンピュータの切断及び起動命令をエミュレートし、並びにこれによりコンピュータ装置に真に切断或いは起動プロセスを実行させられるようにし、一つの予約作業実行完成後にまず切断し、並びに次の予約時間が到達した時に起動するようにし、これにより一回に複数の異なる予約時間と予約作業項目を設定できるようにしてその使用範囲を拡大することにある。
【課題を解決するための手段】
【００１３】
請求項１の考案は、電源開閉器と予約設定装置を具え、
該電源開閉器は、主電源供給装置が主電源をコンピュータ装置の少なくとも一つの構成装置に提供するか否かを制御するのに用いられ、
該予約設定装置は、電気的に電源開閉器に接続され、それは少なくとも、時間データを生成する第２電子タイマ、予約作業データを保存できる第２メモリ、電気的に第２電子タイマ及び第２メモリに接続された検出コントローラ、及び第２電源を第２電子タイマ、第２メモリ及び検出コントローラに提供する第２電源供給装置を具え、そのうち検出コントローラは時間データ及び予約作業データを検出及び対比し、並びに対比結果により電源開閉器の起動を制御することを特徴とする、予約作業を実行できるコンピュータ装置としている。
請求項２の考案は、請求項１記載の予約作業を実行できるコンピュータ装置において、検出コントローラが命令信号入力装置に電気的に接続されたことを特徴とする、予約作業を実行できるコンピュータ装置としている。
請求項３の考案は、請求項２記載の予約作業を実行できるコンピュータ装置において、命令信号入力装置が、マウス、キーボード、ジョイスティック、電源スイッチボタン、外界入力装置及びその組合せのいずれかとされたことを特徴とする、予約作業を実行できるコンピュータ装置としている。
請求項４の考案は、請求項１記載の予約作業を実行できるコンピュータ装置において、構成装置が、ＣＰＵ、ハードディスク、メインメモリ、主電子タイマ、外界信号処理器及びその組合せのいずれかとされたことを特徴とする、予約作業を実行できるコンピュータ装置としている。
請求項５の考案は、請求項４記載の予約作業を実行できるコンピュータ装置において、第２メモリがメインメモリと同一とされ、第２電子タイマが主電子タイマと同一とされ、且つ第２電源供給装置が主電源供給装置と同一とされたことを特徴とする、予約作業を実行できるコンピュータ装置としている。
請求項６の考案は、請求項４記載の予約作業を実行できるコンピュータ装置において、外界信号処理器が画像信号受信器、モデム及びその組合せのいずれかとされたことを特徴とする、予約作業を実行できるコンピュータ装置としている。
請求項７の考案は、請求項１記載の予約作業を実行できるコンピュータ装置において、第１回路により電源開閉器と電気的に接続された命令信号入力装置を具えたことを特徴とする、予約作業を実行できるコンピュータ装置としている。
請求項８の考案は、請求項１記載の予約作業を実行できるコンピュータ装置において、予約作業データが、少なくとも一つの予約時間、及び該予約時間に対応する予約作業項目を具え、該予約作業項目がテレビ番組予約録画、ウィルス走査、起動アラーム、データ伝送及びその組合せのいずれかとされたことを特徴とする、予約作業を実行できるコンピュータ装置としている。
請求項９の考案は、請求項１記載の予約作業を実行できるコンピュータ装置において、第２メモリが開閉データを保存し、予約作業データに基づき電源開閉器の起動を制御することを特徴とする、予約作業を実行できるコンピュータ装置としている。
請求項１０の考案は、テレビ番組を予約録画できるコンピュータ装置において、
電源開閉器と予約設定装置を具え、
該電源開閉器は、主電源供給装置が主電源をコンピュータ装置の少なくとも一つのＣＰＵ、ハードディスク、メインメモリ及び画像信号受信器に提供するか否かを制御し、
該予約設定装置は、電気的に電源開閉器に接続され、それは少なくとも、時間データを生成する第２電子タイマ、少なくとも一つの録画予約時間と録画予約テレビ番組チャンネルを保存できる第２メモリ、電気的に第２電子タイマ及び第２メモリに接続された検出コントローラ、及び第２電源を第２電子タイマ、第２メモリ及び検出コントローラに提供する第２電源供給装置を具え、そのうち検出コントローラは時間データ及び録画予約データを検出及び対比し、並びに対比結果により電源開閉器を制御して画像信号受信器の受信する録画予約テレビ番組チャンネルデータを保存することを特徴とする、テレビ番組を予約録画できるコンピュータ装置としている。
請求項１１の考案は、請求項１０記載のテレビ番組を予約録画できるコンピュータ装置において、第２メモリがメインメモリと同一とされ、第２電源供給装置が主電源供給装置と同一とされ、且つ第２メモリが開閉データを保存し、録画予約時間に基づき電源開閉器の起動を制御することを特徴とする、テレビ番組を予約録画できるコンピュータ装置としている。
【考案の効果】
【００１４】
本考案は予約時間の到達前に、真の切断プロセスを実行し、これにより大幅にコンピュータ装置のスタンバイモード或いはサスペンドモードの電源浪費を減らし、装置の使用寿命を延長する。また、予約時間到達時に、真の起動プロセスを実行し、これにより正常な起動と切断動作下で、コンピュータ装置の複数のオペレーションシステムの衝突を防止し、ゆえにいわゆるシステムの相容性或いはフリーズの問題が発生しない。また、本考案は何度も切断或いは起動でき、これにより一回に複数の予約時間及び予約作業項目を設定でき、その適用範囲を拡大できる。
【考案を実施するための最良の形態】
【００１５】
本考案のコンピュータ装置は、電源開閉器と予約設定装置を具えている。該電源開閉器は、主電源供給装置が主電源をコンピュータ装置の少なくとも一つの構成装置に提供するかを制御するのに用いられ、予約設定装置は、電気的に電源開閉器に接続され、それは少なくとも、時間データを生成する第２電子タイマ、予約作業データを保存できる第２メモリ、電気的に第２電子タイマ及び第２メモリに接続された検出コントローラ、及び第２電源を第２電子タイマ、第２メモリ及び検出コントローラに提供する第２電源供給装置を具え、そのうち検出コントローラは時間データ及び予約作業データを検出及び対比し、並びに対比結果により電源開閉器の起動を制御する。
【実施例１】
【００１６】
図３は本考案の好ましい実施例の構造ブロック図である。図示されるように、本考案のコンピュータ装置３０は、命令信号入力装置５１、電源開閉器３１、主電源供給装置３３、ＣＰＵ３５、メインメモリ３８、ハードディスク３７、主電子タイマ３９、外界信号処理器３６（画像信号受信器、或いはモデム等）を具え、特に、電源開閉器３１に電気的に接続された予約設定装置４０が設けられている。予約設定装置４０内には、時間データを生成する第２電子タイマ４５、少なくとも一つの予約時間と対応する予約作業項目を含む予約作業データを保存できる第２メモリ４７、電気的に第２電子タイマ４５と第２メモリ４７に接続された検出コントローラ４１、及び第２電源を第２電子タイマ４５、第２メモリ４７及び検出コントローラ４１に提供する第２電源供給装置４３を具えている。
【００１７】
検出コントローラ４１が第２電子タイマ４５の生成した時間データを検出し予約時間と同じであると判断すると、切断命令を発生して電源開閉器３１を起動し、並びに主電源供給装置３３に主電源のコンピュータ装置３０内のその他の装置への供給を開始させ、続いて予約作業項目を実行させる。反対に、コンピュータ装置３０が予約作業項目を完成するか或いは予約時間が終点に達した時は、検出コントローラ４１が切断命令を電源開閉器３１に送って再度起動し、切断プログラムを実行する。
【００１８】
本考案の予約設定装置４０はエミュレートした起動及び切断命令を発生し、並びに電源開閉器３１に伝送し電源開閉器３１の起動を制御し、コンピュータ装置３０に真の起動或いは切断のプロセスを実行させる。
【００１９】
この実施例中、予約設定装置４０はまた第２回路５１により電気的にマウス、キーボード、ジョイスティック、電源スイッチボタン或いは外界入力装置（例えばモデム）とされうる命令信号入力装置５１される。言い換えると、予約設定装置４０は命令信号入力装置５１と電源開閉器３１の間に位置し、全ての起動或いは切断命令はいずれも予約設定装置４０を介して電源開閉器３１を起動するか否かを制御する。
【００２０】
別の実施例中、命令信号入力装置５１は第１回路５３により電源開閉器３１に電気的に接続されるが、ただし、予約設定装置４０と直接には接続されず、電源開閉器３１が命令信号入力装置５１の起動或いは切断要求命令を受け取る時、予約設定装置４０にコンピュータがすでに起動或いは切断されている情報を通知する。
【００２１】
さらに、図４は本考案の予約作業項目実行時のフローを示す。図示されるように、及び図３も参照されたいが、本考案の予約作業を実行できるコンピュータ装置の実行方法は以下のステップを含む。
ステップ４０１：  ユーザーが作業予約を必要とする時、コンピュータ装置３０を利用して予約作業データを設定でき、この予約作業データは少なくとも一つの予約時間と該予約時間に対応する少なくとも一つの予約作業項目を含む。
ステップ４０２：  コンピュータ装置３０が切断プロセスを実行するかを判断する。イエスなら、ステップ４０３を実行し、ノーなら起動状態を継続し、並びにステップ４１２を実行する。
ステップ４１２：  コンピュータ装置３０が起動状態で、続いて第２の作業項目（その他の作業項目）を実行し、切断命令が下達されるのを待つ。この実施例では第２の作業項目は、ドーズ（Ｄｏｚｅ）、スタンバイモード（Ｓｔａｎｄ  Ｂｙ）或いはハイバネーション／サスペンドモード（Ｈｉｂｅｒｎａｔｉｏｎ／Ｓｕｓｐｅｎｄ；最も節電のモード）とされ得て、その作用は一般の周知のコンピュータ装置と同じである。
ステップ４０３：  コンピュータ装置３０が切断命令を下達し、並びに予約作業データをメインメモリ３８、ハードディスク３７或いは第２メモリ４７に保存し、その考案は、一般の切断プロセスにより真の切断プロセスを実行する。本実施例では、上述の切断命令はまたサスペンドモードで特定時間経過した後に直接変換して得られる。
ステップ４０４：  コンピュータ装置３０がすでに完全切断状態にあり、この切断期間に、予約設定装置４０の検出コントローラ４１が続けて命令信号入力装置５１が起動の命令の要求を有するか否かを検出し、イエスであればステップ４１４を実行し、ノーであればステップ４０５を実行する。
ステップ４０５：  検出コントローラ４１がコンピュータ装置３０の切断期間に、続けて第２電子タイマ４５の発生する時間データ及び先に設定された予約時間が符合するか否かを検出し、もしイエスならば予約時間が既に到達したことを示し、ノーならば検出を続ける。
ステップ４０６：  予約時間が既に到達していれば、この時、コンピュータ装置３０は切断状態にあり、且つ命令信号入力装置５１が直接切断命令を下達せず、これにより、予約設定装置４０の検出コントローラ４１が切断命令をエミュレートして電源開閉器３１に通知してそれを起動し、並びに主電源供給装置３３を制御して電源をコンピュータ装置３０のその他の装置に提供して使用に供し、コンピュータ切断プロセスを完成する。
ステップ４０７：  コンピュータ装置３０がすでに起動され、これにより例えばテレビ番組録画、ウイルススキャン、起動アラーム或いはデータ伝送の予約作業項目を実行し、例えば外界信号処理器３６を通してデータを外界信号処理器３６に伝送する。
ステップ４０８：  予約作業項目完成の動作後、或いは既に予約設定時間が到達した時、予約設定装置４０或いはコンピュータ装置３０が事前の設定、或いは現在時刻と次の予約時間のインタバル時間の長短により起動状態を保持するか否かを判断し、ノーであればステップ４０３の切断プロセスに戻り、並びに次の予約時間或いは起動命令に待機する。もしイエスであれば、続けてステップ４０９を実行する。
ステップ４０９：  コンピュータ装置３０が起動状態を、ドーズ（Ｄｏｚｅ）、スタンバイモード（Ｓｔａｎｄ  Ｂｙ）或いはハイバネーション／サスペンドモード（Ｈｉｂｅｒｎａｔｉｏｎ／Ｓｕｓｐｅｎｄ；最も節電のモード）のうちより選択し、これにより続けて次の予約時間が到達したか否かを監視並びに判断し、イエスであればステップ４０７を実行する。
ステップ４１４：  予約時間が到達する前に、命令信号入力装置５１は起動命令要求を有することを示し、ゆえに、コンピュータ装置３０が直接起動プロセスを実行し、並びにコンピュータ起動完成後に、それぞれステップ４１２及びステップ４１５を実行する。
ステップ４１５：  検出コントローラ４１がコンピュータ装置３０の起動期間に、続けて第２電子タイマ４５の生成した時間データ及び先に設定された予約時間が符合するかを検出し、もしイエスであれば予約時間が到達したことを示し、ステップ４１６を実行し、もしノーであれば続けて検出する。
ステップ４１６：  コンピュータ装置３０が起動状態下で既に予約時間に到達し、コンピュータユーザーに続けて予約作業項目を実行するかを質問し、もしイエスであればステップ４０７を実行し、もしノーであればステップ４１２を実行する。
【００２２】
本考案は予約時間の到達前に、真の切断プロセスを実行し、これにより大幅にコンピュータ装置のスタンバイモード或いはサスペンドモードの電源浪費を減らし、装置の使用寿命を延長する。また、予約時間到達時に、真の起動プロセスを実行し、これにより正常な起動と切断動作下で、コンピュータ装置の複数のオペレーションシステムの衝突を防止し、ゆえにいわゆるシステムの相容性或いはフリーズの問題が発生しない。また、本考案は何度も切断或いは起動でき、これにより一回に複数の予約時間及び予約作業項目を設定でき、その適用範囲を拡大できる。
【００２３】
このほか、本考案の別の実施例は、テレビ番組チャンネルの予約録画機能に適用され、それは上述の実施例の実行ステップにあって、まず少なくとも一つの予約録画番組チャンネルデータを設定し（ステップ４０１）、並びに予約時間到達後に、一般の正常な起動プロセスを完成し（ステップ４０６）、続いて、外界信号処理器３６（例えば画像信号受信器）及び外界信号入出力装置５６（例えば有線テレビケーブル）を通して予約時間の録画したいテレビ番組チャンネルを受信してハードディスク３７、メインメモリ３８或いはＣＤに保存する（ステップ４０７）。並びに番組チャンネル録画完成後に、直接切断するか或いは起動状態を保持するかを選択して次の番組予約録画時間に待機する。
【００２４】
当然、本考案は異なる実施例にあって、その予約設定装置４０の第２メモリ４７がメインメモリ３８と同一装置として設計可能とされる。また、第２電子タイマ４５もコンピュータ装置３０の主電子タイマ３９と同一の構造とされて、これにより、検出コントローラ４１が続いて主電子タイマ３９の発生する時間データを検出する。また、第２電源供給装置４３も主電源供給装置３３と同一パケージとされ得て、言い換えると、予約設定装置４０の電源供給が主電源供給装置３３により行なわれるものとされうる。また、第２電源供給装置４３はカートリッジ式電池或いは二次電池とされうる。
【００２５】
以上は本考案の好ましい実施例の説明であり、本考案の実施範囲を限定するものではなく、本考案に基づきなしうる細部の修飾或いは改変は、いずれも本考案の請求範囲に属するものとする。
【図面の簡単な説明】
【００２６】
【図１】周知のコンピュータ装置の構造ブロック図である。
【図２】周知のコンピュータ装置の予約作業実行時のフローチャートである。
【図３】本考案のコンピュータ装置の実施例の構造ブロック図である。
【図４】本考案のコンピュータ装置の予約作業実行時のフローチャートである。
【符号の説明】
【００２７】
１０  コンピュータ装置                      １１  電源開閉器
１３  主電源供給装置                        １５  ＣＰＵ
１６  外界信号処理器                        １７  ハードディスク
１８  メインメモリ                          １９  主電子タイマ
２１  命令信号入力装置                      ２６  外界信号入出力装置
３０  コンピュータ装置                      ３１  電源開閉器
３３  命令信号入力装置                      ３５  ＣＰＵ
３６  外界信号処理器                        ３７  ハードディスク
３８  メインメモリ                          ３９  主電子タイマ
４０  予約設定装置                          ４１  検出コントローラ
４３  第２電源供給装置                      ４５  第２電子タイマ
４７  第２メモリ                            ５１  命令信号入力装置
５３  第１回路                              ５４  第２回路
５６  外界信号入出力装置
【図１】
0003101424.tif 000003
【図２】
0003101424.tif 000004
【図３】
0003101424.tif 000005
【図４】
0003101424.tif 000006